(57)【要約】【課題】本発明は、チャージシェアリングの效果を極大化し、消費電流を減少させると共にデータ集積回路の発熱を減少させることができる液晶表示装置とその駆動方法に関する。【解決手段】本液晶表示装置は、複数のゲートラインと複数のデータラインとがそれぞれ交差し、液晶セルＣｌｃが複数配列された液晶セルアレイと、液晶セルアレイの一端側の外方に配置され、データラインにデータ電圧が充電される前に、データラインをプリチャージするための第１のチャージシェア回路１０６と、液晶セルアレイの他端側の外方に配置され、データラインにデータ電圧が充電される前に、データラインをプリチャージするための第２のチャージシェア回路１０５を備えることを特徴とする液晶表示装置。【選択図】図８
2007058177.tif 000002
【特許請求の範囲】
【請求項１】
複数のゲートラインと複数のデータラインとがそれぞれ交差し、液晶セルが複数配列された液晶セルアレイと、
前記液晶セルアレイの一端側の外方に配置され、前記データラインにデータ電圧が充電される前に、前記データラインをプリチャージするための第１のチャージシェア回路と、
前記液晶セルアレイの他端側の外方に配置され、前記データラインにデータ電圧が充電される前に、前記データラインをプリチャージするための第２のチャージシェア回路と
を備えることを特徴とする液晶表示装置。
【請求項２】
前記第１及び第２のチャージシェア回路は、ソース出力信号に応じて同時に動作されることを特徴とする請求項１に記載の液晶表示装置。
【請求項３】
前記液晶セルアレイが形成された液晶パネルと、
前記データラインに前記データ電圧を供給するためのデータ駆動回路と、
前記ゲートラインにスキャンパルスを供給するためのゲート駆動回路と、
前記データ駆動回路、前記ゲート駆動回路、前記第１及び第２のチャージシェア回路を制御するためのタイミングコントローラと
をさらに備えることを特徴とする請求項２に記載の液晶表示装置。
【請求項４】
前記第１及び第２のチャージシェア回路は、前記液晶パネルに形成されることを特徴とする請求項３に記載の液晶表示装置。
【請求項５】
前記第１のチャージシェア回路は、前記液晶パネルに形成され、前記第２のチャージシェア回路は、前記データ駆動回路の内部に形成されることを特徴とする請求項３に記載の液晶表示装置。
【請求項６】
前記第１のチャージシェア回路は、前記データ駆動回路の出力バッファの出力端に配置されることを特徴とする請求項５に記載の液晶表示装置。
【請求項７】
複数のゲートラインと複数のデータラインとがそれぞれ交差し、液晶セルが複数配列された液晶セルアレイを備える液晶表示装置の駆動方法であって、前記液晶セルアレイの一端側及び他端側の外方で、前記データラインをプリチャージすることを特徴とする液晶表示装置の駆動方法。
【請求項８】
前記プリチャージは、ソース出力信号により行われることを特徴とする請求項７に記載の液晶表示装置の駆動方法。
【請求項９】
複数の液晶セルが配列された液晶セルアレイの一端側の外方に配置されると共に、前記液晶セルに連結され、ビデオ信号を供給するデータラインにデータ電圧が充電される前に、前記データラインをプリチャージするための第１のチャージシェア回路と、
前記液晶セルアレイの他端側の外方に配置され、前記データラインにデータ電圧が充電される前に、前記データラインをプリチャージするための第２のチャージシェア回路と
を備えることを特徴とするチャージシェア装置。
【請求項１０】
前記第１及び第２のチャージシェア回路は、ソース出力信号に応じて同時に動作されることを特徴とする請求項９に記載のチャージシェア装置。
【請求項１１】
前記第１及び第２のチャージシェア回路は、前記データラインに連結されたスイッチング素子を含み、前記スイッチング素子は、ソース出力信号に応じて同時に動作されることを特徴とする請求項９に記載のチャージシェア装置。
【発明の詳細な説明】
【技術分野】
【０００１】
本発明は、液晶表示装置に関し、特に、消費電流を減少させると共にデータ集積回路の発熱を減少させることができる液晶表示装置、その駆動方法及びチャージシェア回路に関する。
【背景技術】
【０００２】
一般に、液晶表示装置は、軽量、薄型、低消費電力駆動などの特徴を有し、その応用の範囲が広がっている。そのため、液晶表示装置は、ＯＡ機器、オーディオ／ビデオ機器などに利用されている。このような液晶表示装置は、マトリックス状に配列された複数の制御用スイッチング素子に印加される信号によって光ビームの透過量を調節し、画面に所望の画像を表示している。スイッチング素子としては、薄膜トランジスタ（Ｔｈｉｎ  Ｆｉｌｍ  Ｔｒａｎｓｉｓｔｏｒ、以下、“ＴＦＴ”という）が主に利用されている。
【０００３】
図１は、従来の液晶表示装置を概略的に示す図面である。
図１を参照すると、従来の液晶表示装置は、データライン（Ｄ１〜Ｄｍ）とゲートライン（Ｇ１〜Ｇｎ）とがそれぞれ交差し、その交差部に液晶セルＣｌｃを駆動するためのＴＦＴが形成された液晶パネル１４と、液晶パネル１４のデータライン（Ｄ１〜Ｄｍ）にビデオ信号を供給するためのデータ駆動回路１２と、液晶パネル１４のゲートライン（Ｇ１〜Ｇｎ）にスキャンパルスを供給するためのゲート駆動回路１３と、データ駆動回路１２及びゲート駆動回路１３を制御するためのタイミングコントローラ１１とを備える。
【０００４】
液晶パネル１４は、２枚のガラス基板の間に液晶が注入されて形成され、その下部ガラス基板上には、データライン（Ｄ１〜Ｄｍ）とゲートライン（Ｇ１〜Ｇｎ）とが互いに直交して形成される。データライン（Ｄ１〜Ｄｍ）とゲートライン（Ｇ１〜Ｇｎ）とのそれぞれの交差部に形成されたＴＦＴは、ゲートライン（Ｇ１〜Ｇｎ）からのスキャンパルスに応じて、データライン（Ｄ１〜Ｄｍ）のビデオ信号を液晶セルＣｌｃに供給する。そこで、ＴＦＴのゲート電極は、ゲートライン（Ｇ１〜Ｇｎ）に接続され、ＴＦＴのソース電極は、データライン（Ｄ１〜Ｄｍ）に接続される。ＴＦＴのドレーン電極は、液晶セルＣｌｃの画素電極に接続される。画素電極と対向する共通電極には、共通電圧Ｖｃｏｍが供給される。
【０００５】
そして、液晶パネル１４の各液晶セルＣｌｃには、液晶セルＣｌｃに充電された電圧を一定に維持するためのストレージキャパシターＣｓｔが形成される。このストレージキャパシターＣｓｔは、ｎ番目のゲートラインに接続された液晶セルＣｌｃとｎ−１番目の前段のゲートラインとの間に形成されてもよいし、ｎ番目のゲートラインに接続された液晶セルＣｌｃと別の共通ストレージラインとの間に形成されてもよい。
【０００６】
データ駆動回路１２は、所定のチャンネル数を有する複数のデータ集積回路を含む。ここで、データ集積回路は、クロックをサンプリングするためのシフトレジスタ、データを一時保存するためのレジスタ、シフトレジスタからのクロック信号に応じて、データを１ライン分ずつ保存し、保存された１ライン分のデータを同時に出力するためのラッチ、ラッチからのデータ値に対応して、正極性／負極性のガンマ電圧を選択するためのデジタル−アナログ変換器、正極性／負極性のガンマ電圧によって変換されたアナログデータ（ビデオ信号）が供給されるデータライン（Ｄ１〜Ｄｍ）を選択するためのマルチプレクサ、及びマルチプレクサと選択されたデータラインとの間に接続された出力バッファなどから構成される。このようなデータ集積回路は、タイミングコントローラ１１の制御下で、データライン（Ｄ１〜Ｄｍ）にビデオ信号を供給する。
【０００７】
ゲート駆動回路１３は、スキャンパルスを順次発生するシフトレジスタと、スキャンパルスの電圧を液晶セルＣｌｃの駆動に適したレベルにシフトさせるためのレベルシフタなどで構成される。このゲート駆動回路１３は、タイミングコントローラ１１の制御下で、ゲートライン（Ｇ１〜Ｇｎ）に、ビデオ信号に同期するスキャンパルスを順次供給する。
【０００８】
タイミングコントローラ１１は、垂直／水平同期信号Ｖ、ＨとクロックＣＬＫとを用いて、ゲート駆動回路１３を制御するためのゲート制御信号ＧＤＣと、データ駆動回路１２を制御するためのデータ制御信号ＤＤＣとを発生する。データ制御信号ＤＤＣは、ソーススタートパルス（Ｓｏｕｒｃｅ  Ｓｔａｒｔ  Ｐｕｌｓｅ：ＳＳＰ）、ソースシフトクロック（Ｓｏｕｒｃｅ  Ｓｈｉｆｔ  Ｃｌｏｃｋ：ＳＳＣ）、ソース出力信号（Ｓｏｕｒｃｅ  Ｏｕｔｐｕｔ  Ｅｎａｂｌｅ：ＳＯＥ）、極性信号（Ｐｏｌａｒｉｔｙ：ＰＯＬ）などを含む。ゲート制御信号ＧＤＣは、ゲートシフトクロック（Ｇａｔｅ  Ｓｈｉｆｔ  Ｃｌｏｃｋ：ＧＳＣ）、ゲート出力信号（Ｇａｔｅ  Ｏｕｔｐｕｔ  Ｅｎａｂｌｅ：ＧＯＥ）、ゲートスタートパルス（Ｇａｔｅ  Ｓｔａｒｔ  Ｐｕｌｓｅ：ＧＳＰ）などを含む。
【０００９】
このような液晶表示装置では、液晶パネル１４の液晶セルＣｌｃを駆動するために、フレームインバージョン方式（Ｆｒａｍｅ  Ｉｎｖｅｒｓｉｏｎ  Ｍｅｔｈｏｄ）、ラインインバージョン方式（Ｌｉｎｅ  Ｉｎｖｅｒｓｉｏｎ  Ｍｅｔｈｏｄ）、コラムインバージョン方式（Ｃｏｌｕｍｎ  Ｉｎｖｅｒｓｉｏｎ  Ｍｅｔｈｏｄ）、及びドットインバージョン方式（Ｄｏｔ  Ｉｎｖｅｒｓｉｏｎ  Ｍｅｔｈｏｄ）のようなインバージョン駆動方法が使用される。
【００１０】
図２は、フレームインバージョン方式を、図３は、ラインインバージョン方式を、図４は、コラムインバージョン方式を、図５は、１ドットインバージョン方式を、図６は、２ドットインバージョン方式を示す。図２〜図６における（ａ）と（ｂ）とは、液晶セルの全てのフレームに供給されるビデオ信号の極性を示し、「＋」は、液晶セルに供給される正極性のビデオ信号を、「−」は、液晶セルに供給される負極性のビデオ信号を示す。
【００１１】
しかし、このようなインバージョン駆動方式では、ビデオ信号の極性が反転されることから、消費電流が増加し、また、データ集積回路の発熱が増加する問題点がある。特に、１水平周期または２水平周期ごとにビデオ信号の極性が反転される１ドット及び２ドットインバージョン駆動方式では、このような問題がさらに深刻化される。このような問題点を解決するために、チャージシェアリング（Ｃｈａｒｇｅ  Ｓｈａｒｉｎｇ）を用いて、データライン（Ｄ１〜Ｄｍ）をプリチャージ（Ｐｒｅ−Ｃｈａｒｇｅｉｎｇ）し、電圧のスイング幅を減らす方案が提示されている。
【００１２】
しかし、従来のチャージシェアリングでは、チャージシェア回路に隣接した部分のデータラインにおいては、図７ａに示されているように、完全にチャージシェアリング（Ｃｈａｒｇｅ  Ｓｈａｒｉｎｇ）が実行されるが、チャージシェア回路から遠くなるほど、ＲＣ遅延によって、図７ｂに示されているように、チャージシェアリングの效果が減少する短所がある。特に、現在、大型パネルを実現するための研究が進んでいるが、大型のパネルを製作する場合、大型化による負荷（Ｌｏａｄ）の増加によって、パネルの末端では、チャージシェアリングの效果がさらに減少する問題がある。
【発明の開示】
【発明が解決しようとする課題】
【００１３】
従って、本発明の目的は、消費電流を減少させると共にデータ集積回路の発熱を減少させることができる液晶表示装置、その駆動方法及びチャージシェア回路を提供することにある。
【課題を解決するための手段】
【００１４】
上記の目的を達成するために、本発明による液晶表示装置は、複数のゲートラインと複数のデータラインとがそれぞれ交差し、液晶セルが複数配列された液晶セルアレイと、液晶セルアレイの一端側の外方に配置され、データラインにデータ電圧が充電される前に、データラインをプリチャージするための第１のチャージシェア回路と、液晶セルアレイの他端側の外方に配置され、データラインにデータ電圧が充電される前に、データラインをプリチャージするための第２のチャージシェア回路を備える。
【００１５】
本発明による液晶表示装置の駆動方法は、複数のゲートラインと複数のデータラインとがそれぞれ交差し、液晶セルが複数配列された液晶セルアレイを備える液晶表示装置において、液晶セルアレイの一端側及び他端側の外方で、データラインをプリチャージさせる。
【００１６】
本発明によるチャージシェア装置は、複数の液晶セルが配列された液晶セルアレイの一端側の外方に配置されると共に、液晶セルに連結され、ビデオ信号を供給するデータラインにデータ電圧が充電される前に、データラインをプリチャージするための第１のチャージシェア回路と、液晶セルアレイの他端側の外方に配置され、データラインにデータ電圧が充電される前に、データラインをプリチャージするための第２のチャージシェア回路とを備える。
【発明の効果】
【００１７】
上述したように、本発明による液晶表示装置、その駆動方法及びチャージシェア回路は、液晶セルアレイの一端側及び他端側の外方に設置されたチャージシェア回路を備えることによって、データラインに対するチャージシェアリングの效果を極大化し、消費電流を減少させると共にデータ集積回路の発熱を減少させることができる。
【発明を実施するための最良の形態】
【００１８】
上記の目的の外、本発明の他の目的及び特徴について、添付図面を参照した実施の形態の説明により明白にする。  以下、図８〜図１１を参照して、本発明による液晶表示装置、その駆動方法及びチャージシェア回路の望ましい実施の形態を説明する。
【００１９】
実施の形態１．
図８を参照すると、本発明の実施の形態１による液晶表示装置は、ゲートライン（Ｇ１〜Ｇｎ）とデータライン（Ｄ１〜Ｄｍ）とがそれぞれ交差し、その交差部に液晶セルＣｌｃが複数配列された液晶セルアレイが形成された液晶パネル１０４と、ゲートラインにスキャンパルスを供給するためのゲート駆動回路１０３と、データラインにデータ電圧を供給するためのデータ駆動回路１０２と、データライン（Ｄ１〜Ｄｍ）をプリチャージするための第１及び第２のチャージシェア回路１０６、１０５と、データ駆動回路１０２、ゲート駆動回路１０３、第１及び第２のチャージシェア回路１０６、１０５を制御するためのタイミングコントローラ１０１とを備える。
【００２０】
液晶パネル１０４は、２枚のガラス基板の間に液晶が注入されて形成され、その下部ガラス基板上には、データライン（Ｄ１〜Ｄｍ）とゲートライン（Ｇ１〜Ｇｎ）とが互いに直交して形成される。データライン（Ｄ１〜Ｄｍ）とゲートライン（Ｇ１〜Ｇｎ）とのそれぞれの交差部に形成されたＴＦＴは、ゲートライン（Ｇ１〜Ｇｎ）からのスキャンパルスに応じて、データライン（Ｄ１〜Ｄｍ）上のデータ電圧を液晶セルＣｌｃに供給する。そこで、ＴＦＴのゲート電極は、ゲートライン（Ｇ１〜Ｇｎ）に接続され、ＴＦＴのソース電極は、データライン（Ｄ１〜Ｄｍ）に接続される。ＴＦＴのドレーン電極は、液晶セルＣｌｃの画素電極に接続される。画素電極と対向する共通電極には、共通電圧Ｖｃｏｍが供給される。
【００２１】
そして、液晶パネル１０４の各液晶セルＣｌｃには、液晶セルＣｌｃに充電された電圧を一定に維持するためのストレージキャパシターＣｓｔが形成される。液晶パネル１０４の下端部の液晶セルアレイの外方には、第１のチャージシェア回路１０６が形成される。この第１のチャージシェア回路１０６は、複数のスイッチング素子ＳＷ１を含む。スイッチング素子ＳＷ１は、それぞれのデータライン（Ｄ１〜Ｄｍ）に接続され、タイミングコントローラ１０１からのソース出力信号ＳＯＥに応じて、データライン（Ｄ１〜Ｄｍ）を同時に遮断する。
【００２２】
データ駆動回路１０２は、所定のチャンネル数を有する複数のデータ集積回路を含む。ここで、データ集積回路は、クロックをサンプリングするためのシフトレジスタ、データを一時保存するためのレジスタ、シフトレジスタからのクロック信号に応じてデータを１ライン分ずつ保存し、保存された１ライン分のデータを同時に出力するためのラッチ、ラッチからのデータ値に対応して、正極性／負極性のガンマ電圧を選択するためのデジタル−アナログ変換器、正極性／負極性のガンマ電圧により変換されたアナログデータ（ビデオ信号）が供給されるデータライン（Ｄ１〜Ｄｍ）を選択するためのマルチプレクサ、マルチプレクサと選択されたデータラインとの間に接続された出力バッファ１０２ａ、及び出力バッファ１０２ａの出力端に形成された第２のチャージシェア回路１０５などで構成される。
【００２３】
この第２のチャージシェア回路１０５は、複数のスイッチング素子ＳＷ２を含む。スイッチング素子ＳＷ２は、それぞれのデータライン（Ｄ１〜Ｄｍ）に接続され、タイミングコントローラ１０１からのソース出力信号ＳＯＥに応じて、データライン（Ｄ１〜Ｄｍ）を同時に遮断する。このようなデータ集積回路は、タイミングコントローラ１０１の制御下で、データライン（Ｄ１〜Ｄｍ）にデータ電圧、即ちビデオ信号を供給する。
ゲート駆動回路１０３は、スキャンパルスを順次発生するシフトレジスタと、スキャンパルスの電圧を液晶セルＣｌｃの駆動に適したレベルにシフトさせるためのレベルシフタなどで構成される。このゲート駆動回路１０３は、タイミングコントローラ１０１の制御下で、ゲートライン（Ｇ１〜Ｇｎ）に、ビデオ信号に同期するスキャンパルスを順次供給する。
【００２４】
タイミングコントローラ１０１は、垂直／水平同期信号Ｖ、ＨとクロックＣＬＫとを用いて、ゲート駆動回路１０３を制御するためのゲート制御信号ＧＤＣと、データ駆動回路１０２を制御するためのデータ制御信号ＤＤＣとを発生する。データ制御信号ＤＤＣは、ソーススタートパルス（Ｓｏｕｒｃｅ  Ｓｔａｒｔ  Ｐｕｌｓｅ：ＳＳＰ）、ソースシフトクロック（Ｓｏｕｒｃｅ  Ｓｈｉｆｔ  Ｃｌｏｃｋ：ＳＳＣ）、ソース出力信号（Ｓｏｕｒｃｅ  Ｏｕｔｐｕｔ  Ｅｎａｂｌｅ：ＳＯＥ）、極性信号（Ｐｏｌａｒｉｔｙ：ＰＯＬ）などを含む。ゲート制御信号ＧＤＣは、ゲートシフトクロック（Ｇａｔｅ  Ｓｈｉｆｔ  Ｃｌｏｃｋ：ＧＳＣ）、ゲート出力信号（Ｇａｔｅ  Ｏｕｔｐｕｔ  Ｅｎａｂｌｅ：ＧＯＥ）、ゲートスタートパルス（Ｇａｔｅ  Ｓｔａｒｔ  Ｐｕｌｓｅ：ＧＳＰ）などを含む。
【００２５】
図９は、データライン（Ｄ１〜Ｄｍ）を介して各液晶セルＣｌｃに供給される信号を示し、「ＳＯＥ」は、ソース出力信号を、「ＰＯＬ」は、極性信号を、「Ｄ」は、ビデオ信号をそれぞれ示す。ビデオ信号Ｄは、極性信号ＰＯＬにより、その極性が制御され、ソース出力信号ＳＯＥがロー状態（ロー区間）である場合にデータライン（Ｄ１〜Ｄｍ）に供給される。
以下、図９を参照して、第１及び第２のチャージシェア回路１０６、１０５によるチャージシェアリング過程について説明する。
【００２６】
まず、ソース出力信号ＳＯＥのロー区間において、出力バッファ１０２ａから正極性または負極性のビデオ信号Ｄが、データライン（Ｄ１〜Ｄｍ）に供給され、液晶パネル１０４に、ビデオ信号Ｄに対応される所定の画像が表示される。
【００２７】
そして、ソース出力信号ＳＯＥのハイ区間において、第１及び第２のチャージシェア回路１０６、１０５の第１及び第２のスイッチング素子ＳＷ１、ＳＷ２がターンオンされる。第１及び第２のスイッチング素子ＳＷ１、ＳＷ２がターンオンされると、全てのデータライン（Ｄ１〜Ｄｍ）が電気的に接続される。このとき、データライン（Ｄ１〜Ｄｍ）には、前回のソース出力信号ＳＯＥのロー区間において供給されたビデオ信号Ｄにより、各液晶セルＣｌｃに充電されたビデオ信号Ｄの平均電圧が示される。
【００２８】
以後、ソース出力信号ＳＯＥがロー状態に反転すると、負極性または正極性のビデオ信号Ｄがデータライン（Ｄ１〜Ｄｍ）に供給され、液晶パネル１０４に所定の画像が表示される。
【００２９】
このように、データライン（Ｄ１〜Ｄｍ）をプリチャージ（Ｐｒｅ-Ｃｈａｒｇｅｉｎｇ）させることで、電圧変動レベルを最小化し、消費電力の低減及びデータ集積回路の発熱が減少する效果がある。特に、液晶セルアレイの両端におけるチャージシェアリングによるデータ電圧の波形をそれぞれ示す図１０ａ及び図１０ｂを参照すると、第１及び第２のチャージシェア回路１０６、１０５が、液晶セルアレイの一端側及び他端側で同時にチャージシェアリングを行うことにより、従来のチャージシェア回路から遠くなるほどチャージシェアリングの效果が減少するという問題点を克服し、效果を向上させることができる。
【００３０】
実施の形態２．
図１１は、本発明の第２の実施例による液晶表示装置を示す。
図１１を参照すると、本発明の実施の形態２による液晶表示装置は、ゲートライン（Ｇ１〜Ｇｎ）とデータライン（Ｄ１〜Ｄｍ）とがそれぞれ交差し、その交差部に液晶セルＣｌｃが複数配列された液晶セルアレイが形成された液晶パネル２０４と、ゲートラインにスキャンパルスを供給するためのゲート駆動回路２０３と、データラインにデータ電圧を供給するためのデータ駆動回路２０２と、データライン（Ｄ１〜Ｄｍ）をプリチャージするための第１及び第２のチャージシェア回路２０６、２０５と、データ駆動回路２０２、ゲート駆動回路２０３、第１及び第２のチャージシェア回路２０６、２０５を制御するためのタイミングコントローラ２０１とを備える。
【００３１】
液晶パネル２０４は、２枚のガラス基板の間に液晶が注入されて形成され、その下部ガラス基板上には、データライン（Ｄ１〜Ｄｍ）とゲートライン（Ｇ１〜Ｇｎ）とが互いに直交して形成される。データライン（Ｄ１〜Ｄｍ）とゲートライン（Ｇ１〜Ｇｎ）とのそれぞれの交差部に形成されたＴＦＴは、ゲートライン（Ｇ１〜Ｇｎ）からのスキャンパルスに応じて、データライン（Ｄ１〜Ｄｍ）上のデータ電圧を液晶セルＣｌｃに供給する。そこで、ＴＦＴのゲート電極は、ゲートライン（Ｇ１〜Ｇｎ）に接続され、ＴＦＴのソース電極は、データライン（Ｄ１〜Ｄｍ）に接続される。ＴＦＴのドレーン電極は、液晶セルＣｌｃの画素電極に接続される。画素電極と対向する共通電極には、共通電圧Ｖｃｏｍが供給される。
【００３２】
そして、液晶パネル２０４の各液晶セルＣｌｃには、液晶セルＣｌｃに充電された電圧を一定に維持するためのストレージキャパシターＣｓｔが形成される。液晶パネル２０４の液晶セルアレイの一端側及び他端側の外方には、第１及び第２のチャージシェア回路２０６、２０５が形成される。この１及び第２のチャージシェア回路２０６、２０５は、それぞれ複数のスイッチング素子ＳＷ１、ＳＷ２を含む。スイッチング素子ＳＷ１、ＳＷ２は、それぞれのデータライン（Ｄ１〜Ｄｍ）に接続され、タイミングコントローラ２０１からのソース出力信号ＳＯＥに応じて、データライン（Ｄ１〜Ｄｍ）を同時に遮断する。
【００３３】
データ駆動回路２０２は、所定のチャンネル数を有する複数のデータ集積回路を含む。ここで、データ集積回路は、クロックをサンプリングするためのシフトレジスタ、データを一時保存するためのレジスタ、シフトレジスタからのクロック信号に応じて、データを１ライン分ずつ保存し、保存された１ライン分のデータを同時に出力するためのラッチ、ラッチからのデータ値に対応して、正極性／負極性のガンマ電圧を選択するためのデジタル−アナログ変換器、正極性／負極性のガンマ電圧によって変換されたアナログデータ（ビデオ信号）が供給されるデータライン（Ｄ１〜Ｄｍ）を選択するためのマルチプレクサ、及びマルチプレクサと選択されたデータラインとの間に接続された出力バッファなどで構成される。このようなデータ集積回路は、タイミングコントローラ２０１の制御下で、データライン（Ｄ１〜Ｄｍ）にデータ電圧、即ちビデオ信号Ｄを供給する。
【００３４】
ゲート駆動回路２０３は、スキャンパルスを順次発生するシフトレジスタと、スキャンパルスの電圧を液晶セルＣｌｃの駆動に適したレベルにシフトさせるためのレベルシフタなどで構成される。このゲート駆動回路２０３は、タイミングコントローラ２０１の制御下で、ゲートライン（Ｇ１〜Ｇｎ）に、ビデオ信号Ｄに同期するスキャンパルスを順次供給する。
【００３５】
タイミングコントローラ２０１は、垂直／水平同期信号Ｖ、ＨとクロックＣＬＫとを用いて、ゲート駆動回路２０３を制御するためのゲート制御信号ＧＤＣと、データ駆動回路２０２とを制御するためのデータ制御信号ＤＤＣを発生する。データ制御信号ＤＤＣは、ソーススタートパルス（Ｓｏｕｒｃｅ  Ｓｔａｒｔ  Ｐｕｌｓｅ：ＳＳＰ）、ソースシフトクロック（Ｓｏｕｒｃｅ  Ｓｈｉｆｔ  Ｃｌｏｃｋ：ＳＳＣ）、ソース出力信号（Ｓｏｕｒｃｅ  Ｏｕｔｐｕｔ  Ｅｎａｂｌｅ：ＳＯＥ）、極性信号（Ｐｏｌａｒｉｔｙ：ＰＯＬ）などを含む。ゲート制御信号ＧＤＣは、ゲートシフトクロック（Ｇａｔｅ  Ｓｈｉｆｔ  Ｃｌｏｃｋ：ＧＳＣ）、ゲート出力信号（Ｇａｔｅ  Ｏｕｔｐｕｔ  Ｅｎａｂｌｅ：ＧＯＥ）、ゲートスタートパルス（Ｇａｔｅ  Ｓｔａｒｔ  Ｐｕｌｓｅ：ＧＳＰ）などを含む。
第１及び第２のチャージシェア回路２０６、２０５によるチャージシェアリング過程に関する説明は、上記実施の形態１と同様であるため、省略する。
【００３６】
以上説明した内容に基づいて、当業者であれば、本発明の技術的思想を逸脱しない範囲内で種々の変更及び修正が可能であることがわかるだろう。従って、本発明の技術的範囲は、明細書の詳細な説明に記載した内容に限定されるのではなく、特許請求の範囲により定めなければならない。
【図面の簡単な説明】
【００３７】
【図１】従来の液晶表示装置を示す図面である。
【図２】（ａ）及び（ｂ）は、従来の液晶表示装置における液晶セルを駆動するフレームインバージョン方式を示す図面である。
【図３】（ａ）及び（ｂ）は、従来の液晶表示装置における液晶セルを駆動するラインインバージョン方式を示す図面である。
【図４】（ａ）及び（ｂ）は、従来の液晶表示装置における液晶セルを駆動するコラムインバージョン方式を示す図面である。
【図５】（ａ）及び（ｂ）は、従来の液晶表示装置における液晶セルを駆動する１ドットインバージョン方式を示す図面である。
【図６】（ａ）及び（ｂ）は、従来の液晶表示装置における液晶セルを駆動する２ドットインバージョン方式を示す図面である。
【図７Ａ】従来の液晶表示装置によるチャージシェアリングによるデータ電圧を示す図面である。
【図７Ｂ】従来の液晶表示装置によるチャージシェアリングによるデータ電圧を示す図面である。
【図８】本発明の実施の形態１による液晶表示装置を示す図面である。
【図９】本発明の実施の形態１によるチャージシェアリングによるデータ電圧を示す図面である。
【図１０Ａ】本発明の実施の形態１による液晶セルアレイの両端のチャージシェアリングによるデータ電圧を示す図面である。
【図１０Ｂ】本発明の実施の形態１による液晶セルアレイの両端のチャージシェアリングによるデータ電圧を示す図面である。
【図１１】本発明の実施の形態２による液晶表示装置を示す図面である。
【符号の説明】
【００３８】
１１、１０１、２０１  タイミングコントローラ、１２、１０２、２０２  データ駆動回路、１３、１０３、２０３  ゲート駆動回路、１４、１０４、２０４  液晶パネル、１０２ａ  出力バッファ、１０５、２０５  第２チャージシェア回路、１０６、２０６  第１チャージシェア回路、Ｃｌｃ  液晶セル、Ｄ  ビデオ信号、ＳＯＥ  ソース出力信号、ＳＷ１、ＳＷ２  スイッチング素子。
【図１】
2007058177.tif 000003
【図２】
2007058177.tif 000004
【図３】
2007058177.tif 000005
【図４】
2007058177.tif 000006
【図５】
2007058177.tif 000007
【図６】
2007058177.tif 000008
【図７Ａ】
2007058177.tif 000009
【図７Ｂ】
2007058177.tif 000010
【図８】
2007058177.tif 000011
【図９】
2007058177.tif 000012
【図１０Ａ】
2007058177.tif 000013
【図１０Ｂ】
2007058177.tif 000014
【図１１】
2007058177.tif 000015